(57)【要約】【課題】デッキプレートの幅方向への移動を拘束して位置決め調整作業を無用化でき、かつ、デッキプレートの幅方向への継ぎ足しに伴う誤差が生じても何ら支障なく作業を行うことができる、施工性、確実性に非常に優れた配筋用スペーサ及び配筋用スペーサを用いた鉄筋支持構造を提供する。【解決手段】山部と谷部とが傾斜部を介して交互に連なり略台形の波形断面に屈曲形成された構成のデッキプレート１０上にコンクリートを打設してコンクリートスラブを構築するに際し、前記谷部に鉄筋を配筋するために用いる配筋用スペーサ１であって、１本の線材により、前記山部の上面に載る平坦部２と、前記谷部に鉄筋を配筋するための略Ｖ字溝部３とが交互に屈曲形成され、かつ、当該１本の線材の一端部１ａが、前記山部とその両側に連設される傾斜部の上部とに沿うように屈曲形成され、他端部１ｂがフリー状態に形成されている。【選択図】図１
2019019552.tif 000002
【特許請求の範囲】
【請求項１】
山部と谷部とが傾斜部を介して交互に連なり略台形の波形断面に屈曲形成された構成のデッキプレート上にコンクリートを打設してコンクリートスラブを構築するに際し、前記谷部に鉄筋を配筋するために用いる配筋用スペーサであって、
１本の線材により、前記山部の上面に載る平坦部と、前記谷部に鉄筋を配筋するための略Ｖ字溝部とが交互に屈曲形成され、かつ、当該１本の線材の一端部が、前記山部とその両側に連設される傾斜部の上部とに沿うように屈曲形成され、他端部がフリー状態に形成されていることを特徴とする、配筋用スペーサ。
【請求項２】
前記デッキプレートが、さらに前記山部の両側の傾斜部に当該山部と連設する斜面部と顎部とからなる鉤状段部を備えた構成であるとき、
前記１本の線材の一端部が、前記山部とその両側の鉤状段部の斜面部とに沿うように屈曲形成されていることを特徴とする、請求項１に記載した配筋用スペーサ。
【請求項３】
前記１本の線材の一端部の先端が、前記鉤状段部の顎部へ掛け留め可能な引っ掛け部に屈曲形成されていることを特徴とする、請求項２に記載した配筋用スペーサ。
【請求項４】
前記１本の線材の他端部が、前記平坦部に形成されていることを特徴とする、請求項１〜３のいずれか１項に記載した配筋用スペーサ。
【請求項５】
前記平坦部の数が４つで前記略Ｖ字溝部の数が３つに屈曲形成されていること、又は前記平坦部の数が３つで前記略Ｖ字溝部の数が２つに屈曲形成されていることを特徴とする、請求項１〜４のいずれか１項に記載した配筋用スペーサ。
【請求項６】
前記請求項１〜５のいずれかに記載した配筋用スペーサが、敷設された前記デッキプレートの幅方向に一部ラップされた状態で連続的に配設されていること、
前記配筋用スペーサの略Ｖ字溝部の底部に、前記デッキプレートのスパン方向へ向けた鉄筋が支持されていることを特徴とする、配筋用スペーサを用いた鉄筋支持構造。
【発明の詳細な説明】
【技術分野】
【０００１】
この発明は、山部と谷部とが傾斜部を介して交互に連なり略台形の波形断面に屈曲形成された構成のデッキプレート上にコンクリートを打設してコンクリートスラブを構築するに際し、前記谷部に鉄筋を配筋するために用いる配筋用スペーサの技術分野に属する。
【背景技術】
【０００２】
前記した構成のデッキプレートの谷部に鉄筋（例えば、Ｄ１３の耐火補強筋）を配筋する技術は、次の２タイプに代表される。
（１）デッキプレートの谷部の上面にコンクリートサイコロ等の単独部材を載置し、その上に鉄筋を設置して支持する工法（以下、単独工法と称す。）。
（２）例えば本出願の図１１や特許文献１、２に示したように、デッキプレートの谷部に相当する部位に溝部を形成した１本のバー材（線材）をデッキプレートの幅方向（ヨリ方向）に配置し、当該溝部に鉄筋を設置して支持する工法（以下、バー工法と称す。）。
【先行技術文献】
【特許文献】
【０００３】
【特許文献１】実開昭５８−１５６８１５号公報
【特許文献２】意匠登録第６６１７３６号公報
【発明の概要】
【発明が解決しようとする課題】
【０００４】
前記（１）の単独工法の場合、例えば３万平米程度の床面積が広い大型店舗や倉庫で実施しようとすると、実に３０００個前後の単独部材を必要とする。よって、コストが嵩む上に、所定の位置に配置するための手間（労力）が掛かる等、経済性、施工性がわるかった。
【０００５】
前記（２）のバー工法の場合、１本のバー材で複数本の鉄筋を支持できるので前記単独部材よりも使用個数（使用本数）を低減できる上に嵩張らず、施工性、経済性、荷扱い性に優れている。
しかし、前記した図１１の両端部がフリーなバー材ａで実施する場合、デッキプレートｂの幅方向への移動（ズリ動き）を拘束できず、よって、位置決めが不安定となるため調整作業を余儀なくされ、作業者の感覚による位置決め調整にバラツキが生じやすい等、施工性、確実性の点で改善すべき課題があった。
また、特許文献１、２の両端部に掛留部を備えたバー材で実施する場合、前記ズリ動きは拘束できるものの、複数のデッキプレートの幅方向への継ぎ足しに伴う誤差（累積誤差）により、一方の掛留部は嵌まっても他方の掛留部は嵌まらない事態が生じる等、新たな課題が生じていた。
【０００６】
本発明は、上述した背景技術の課題に鑑みて案出されたものであり、その目的とするところは、前記単独工法よりも施工性、経済性、荷扱い性に優れたバー工法を採用し、さらに、デッキプレートの幅方向への移動を拘束して位置決め調整作業を無用化でき、かつ、デッキプレートの幅方向への継ぎ足しに伴う誤差が生じても何ら支障なく作業を行うことができる、施工性、確実性に非常に優れた配筋用スペーサ及び配筋用スペーサを用いた鉄筋支持構造を提供することにある。
【課題を解決するための手段】
【０００７】
上記課題を解決するための手段として、請求項１に記載した発明に係る配筋用スペーサは、山部と谷部とが傾斜部を介して交互に連なり略台形の波形断面に屈曲形成された構成のデッキプレート上にコンクリートを打設してコンクリートスラブを構築するに際し、前記谷部に鉄筋を配筋するために用いる配筋用スペーサであって、
１本の線材により、前記山部の上面に載る平坦部と、前記谷部に鉄筋を配筋するための略Ｖ字溝部とが交互に屈曲形成され、かつ、当該１本の線材の一端部が、前記山部とその両側に連設される傾斜部の上部とに沿うように屈曲形成され、他端部がフリー状態に形成されていることを特徴とする。
【０００８】
請求項２に記載した発明は、請求項１に記載した配筋用スペーサにおいて、前記デッキプレートが、さらに前記山部の両側の傾斜部に当該山部と連設する斜面部と顎部とからなる鉤状段部を備えた構成であるとき、
前記１本の線材の一端部が、前記山部とその両側の鉤状段部の斜面部とに沿うように屈曲形成されていることを特徴とする。
【０００９】
請求項３に記載した発明は、請求項２に記載した配筋用スペーサにおいて、前記１本の線材の一端部の先端が、前記鉤状段部の顎部へ掛け留め可能な引っ掛け部に屈曲形成されていることを特徴とする。
【００１０】
請求項４に記載した発明は、請求項１〜３のいずれか１項に記載した配筋用スペーサにおいて、前記１本の線材の他端部が、前記平坦部に形成されていることを特徴とする。
【００１１】
請求項５に記載した発明は、請求項１〜４のいずれか１項に記載した配筋用スペーサにおいて、前記平坦部の数が４つで前記略Ｖ字溝部の数が３つに屈曲形成されていること、又は前記平坦部の数が３つで前記略Ｖ字溝部の数が２つに屈曲形成されていることを特徴とする。
【００１２】
請求項６に記載した発明に係る配筋用スペーサを用いた鉄筋支持構造は、前記請求項１〜５のいずれかに記載した配筋用スペーサが、敷設された前記デッキプレートの幅方向に一部ラップされた状態で連続的に配設されていること、
前記配筋用スペーサの略Ｖ字溝部の底部に、前記デッキプレートのスパン方向へ向けた鉄筋が支持されていることを特徴とする。
【発明の効果】
【００１３】
本発明に係る配筋用スペーサ及び配筋用スペーサを用いた鉄筋支持構造によれば、前記バー工法で実施するので、前記単独工法よりも施工性、経済性、荷扱い性に優れていることに加え、配筋用スペーサの一端部をデッキプレートの山部に掛け留める一方、他端部をデッキプレートに掛け留めないフリー状態で実施する構成なので、デッキプレートの幅方向への移動を拘束して位置決め調整作業を無用化できると共に、デッキプレートの幅方向への継ぎ足しに伴う誤差（累積誤差）が生じても何ら支障なく作業を行うことができる。  よって、施工性、確実性に非常に優れた配筋用スペーサ及び配筋用スペーサを用いた鉄筋支持構造を実現でき、ひいては高品質のコンクリートスラブを構築できる。
【図面の簡単な説明】
【００１４】
【図１】実施例１に係る配筋用スペーサを用いた鉄筋支持構造を示した正面図である。
【図２】実施例１に係る配筋用スペーサを示した正面図である。
【図３】実施例１に係る配筋用スペーサの配設状況を示した斜視図である。
【図４】実施例２に係る配筋用スペーサを用いた鉄筋支持構造を示した正面図である。
【図５】実施例２に係る配筋用スペーサを示した正面図である。
【図６】実施例２に係る配筋用スペーサの配設状況を示した斜視図である。
【図７】実施例３に係る配筋用スペーサを用いた鉄筋支持構造を示した正面図である。
【図８】実施例３に係る配筋用スペーサを示した正面図である。
【図９】実施例３に係る配筋用スペーサの配設状況を示した斜視図である。
【図１０】Ａ、Ｂは、配筋用スペーサのバリエーションを示した正面図である。
【図１１】Ａは、従来例に係る配筋用スペーサを用いた鉄筋支持構造を示した正面図であり、Ｂは、同配筋用スペーサを示した正面図である。
【発明を実施するための形態】
【００１５】
次に、本発明に係る配筋用スペーサ及び配筋用スペーサを用いた鉄筋支持構造の実施例を図面に基づいて説明する。
【実施例１】
【００１６】
本発明に係る配筋用スペーサ１は、図１〜図３に示したように、山部と谷部とが傾斜部を介して交互に連なり略台形の波形断面に屈曲形成された構成のデッキプレート１０上にコンクリートを打設してコンクリートスラブを構築するに際し、前記谷部に鉄筋１１（例えば、耐火補強筋）を配筋するために用いる配筋用スペーサ１である。
この配筋用スペーサ１は、１本の線材（例えば、φ４〜５ｍｍ程度の軟鋼線材）により、前記山部の上面に載る平坦部２と、前記谷部に鉄筋１１を配筋するための略Ｖ字溝部（凹溝部）３とが交互に屈曲形成され、かつ、当該１本の線材の一端部１ａが、前記山部とその両側に連設される傾斜部の上部とに沿うように屈曲形成され、他端部１ｂがフリー状態に形成されていることを特徴とする。
なお、本明細書において「フリー状態」とは、デッキプレートに対して掛け留め可能に形成していない状態を指す。
【００１７】
具体的に、前記配筋用スペーサ１は、前記山部と同等長さ又は若干長い平坦部２と前記谷部に鉄筋１１を配筋するための略Ｖ字溝部３とがデッキプレート１０の形態に合わせて交互に屈曲形成され、さらに、その一端部１ａを、対応するデッキプレート１０の山部を挟み込む（ホールドする）ように屈曲形成され、他端部１ｂは前記平坦部２に形成された構成で実施されている。前記略Ｖ字溝部３は、前記鉄筋１１を所定（例えば、谷部から４５ｍｍ程度）の高さに中空支持できる構造設計でＶ字に屈曲されている。
【００１８】
上記構成の配筋用スペーサ１を、前記デッキプレート１０の山部に配設する場合、その一端部１ａを対応するデッキプレート１０の山部に掛け留めて、他端部１ｂの平坦部２を対応するデッキプレート１０の山部の上面に単に載置する。
そうすると、前記配筋用スペーサ１は、他端部１ｂはフリー状態であっても一端部１ａがデッキプレート１０の山部を挟み込むように掛け留まっているので、デッキプレート１０の幅方向（ヨリ方向）へ外力が作用してもずり動くことはなく、よって、デッキプレート１０の幅方向の位置決め調整作業を無用化できる。
また、配筋用スペーサ１の他端部１ｂは、平坦部２が単に山部に載っているフリー状態で実施されているので、デッキプレート１０の幅方向への継ぎ足しに伴う誤差（累積誤差）に全く影響を受けることなくスムーズに山部に載置できる。
【００１９】
ちなみに、図１に係るデッキプレート１０の寸法は、幅が７００ｍｍ程度（３山タイプ）、高さ（山高）が７５ｍｍ程度、山部の平面部の幅寸が１１２ｍｍ程度、谷部の平面部の幅寸が８８ｍｍ程度、板厚が１．０〜１．６ｍｍ程度、全長（スパン長）が１．８〜３．６ｍ程度で実施されている。
なお、前記デッキプレート１０の形態（形状、寸法）は勿論この限りではなく、梁材の設置間隔、構造上必要な強度等の構造設計に応じて適宜設計変更される。言い換えると、本発明に係る配筋用スペーサ１が適用可能なデッキプレート１０の形態は、前記した略台形の波形断面に屈曲形成された構成であれば、どのような形態であっても適用できる。
例えば、前記デッキプレート１０は、近年、打設コンクリートとの定着性を高めるべくエンボス、カギ溝、或いは鉤状段部等の合成機構を施したタイプの需要が高まっているが、本発明に係る配筋用スペーサ１は、前記合成機構を施したデッキプレート（例えば、後述する図４、図７、図１０参照）に対しても適用できるし、前記合成機構を施していないデッキプレート（例えば、図１、図１１参照）に対しても適用できる。
【００２０】
かくして、上記構成の配筋用スペーサ１を用いた鉄筋支持構造は、所定領域の梁間（図示の便宜上省略）に多数敷設された前記デッキプレート１０の幅方向に、前記配筋用スペーサ１が、図３に示したように、鉄筋１１を配筋するための略Ｖ字溝部３が途切れないように、一部ラップされた状態で連続的に配設されている。
そして、前記所定領域に配設した複数の配筋用スペーサ１の略Ｖ字溝部３の底部に、前記デッキプレート１０のスパン方向へ向けた鉄筋１１が支持されて成る。
【００２１】
前記配筋用スペーサ１は、その一端部１ａを対応するデッキプレート１０の山部に掛け止めるだけで自動的に位置決めが可能となるので簡易で良好な配設作業を行うことができる。ちなみに、この配筋用スペーサ１は、図示は省略するが、デッキプレート１０のスパン方向に例えば０．５〜１．０ｍ程度のピッチで略平行に配設されている。
また、前記配筋用スペーサ１は、デッキプレート１０の山部に掛け止めるだけで自動的に位置決めが行われるので、前記鉄筋１１を共通に支持するスパン方向に配設した複数の配筋用スペーサ１（の略Ｖ字溝部３）は、スパン方向に沿って見ると重なり合うように一致している。よって、精度が高い鉄筋１１の配筋作業を確実に行うことができる。
【００２２】
前記構成の鉄筋支持構造を施工した後は、前記鉄筋１１と前記配筋用スペーサ１とを適宜鉄線等の結束材で結束し、コンクリートの上面からかぶり厚さ３０ｍｍ程度の部位に溶接金網、異径鉄筋等のひび割れ拡大防止筋を配設し、しかる後、コンクリートを打設してコンクリートスラブを構築する。
【実施例２】
【００２３】
図４〜図６は、配筋用スペーサ２１及び配筋用スペーサ２１を用いた鉄筋支持構造の異なる実施例を示している。
この実施例２に係る配筋用スペーサ２１は、上記実施例１に係る配筋用スペーサ１と比し、平坦部の数を３つから４つに、略Ｖ字溝部の数を２つから３つに増設し、長さもその分長く形成した点、また、前記合成機構を施していないデッキプレート１０から前記合成機構を施したデッキプレート２０に変更したことに伴い若干設計変更した点、は相違するもののコンセプトは実施例１と同じである。
すなわち、この実施例２に係る配筋用スペーサ２１は、上記実施例１と同様に、１本の線材により、デッキプレート２０の山部の上面に載る平坦部２２と、前記谷部に鉄筋１１を配筋するための略Ｖ字溝部２３とが交互に屈曲形成され、かつ、当該１本の線材の一端部２１ａが、前記山部とその両側に連設される傾斜部の上部（に形成した斜面部と顎部とからなる鉤状段部２０ａの当該斜面部）とに沿うように屈曲形成され、他端部２１ｂがフリー状態（平坦部２２）に形成されている。
【００２４】
ちなみに、図４では、同種のデッキプレート２０を２つ継ぎ足したものを例示しており、各デッキプレート２０の寸法は、幅が６００ｍｍ程度（２山タイプ）、高さ（山高）が９２ｍｍ程度、山部の平面部の幅寸が１４２ｍｍ程度、谷部の平面部の幅寸が１００ｍｍ程度、板厚が１．０〜１．６ｍｍ程度、全長（スパン長）が１．８〜３．６ｍ程度で実施されている。
【００２５】
この実施例２に係る配筋用スペーサ２１を前記デッキプレート２０の山部に配設する場合、上記実施例１と同じ要領で行う。すなわち、配筋用スペーサ２１の一端部２１ａを対応するデッキプレート２０の山部に掛け留めて、他端部２１ｂの平坦部２２を対応するデッキプレート２０の山部の上面に単に載置する。
そうすると、前記配筋用スペーサ２１は、他端部２１ｂはフリー状態であっても一端部２１ａがデッキプレート２０の山部を挟み込むように掛け留まっているので、デッキプレート２０の幅方向へ外力が作用してもずり動くことはなく、よって、デッキプレート２０の幅方向の位置決め調整作業を無用化できる。
また、配筋用スペーサ２１の他端部２１ｂは、平坦部２２が単に山部に載っているフリー状態で実施されているので、デッキプレート２０の幅方向への継ぎ足しに伴う誤差（累積誤差）に全く影響を受けることなくスムーズに山部に載置できる。
【００２６】
上記構成の配筋用スペーサ２１を用いた鉄筋支持構造も上記実施例１と同様である。すなわち、所定領域の梁間に多数敷設された前記デッキプレート２０の幅方向に、前記配筋用スペーサ２１が、図６に示したように、鉄筋１１を配筋するための略Ｖ字溝部２３が途切れないように、一部ラップされた状態で連続的に配設されている。
そして、前記所定領域に配設した複数の配筋用スペーサ２１の略Ｖ字溝部２３の底部に、前記デッキプレート２０のスパン方向へ向けた鉄筋１１が支持されて成る。
【００２７】
前記配筋用スペーサ２１は、その一端部２１ａを対応するデッキプレート２０の山部に掛け止めるだけで自動的に位置決めが可能となるので簡易で良好な配設作業を行うことができる。
また、前記配筋用スペーサ２１は、デッキプレート２０の山部に掛け止めるだけで自動的に位置決めが行われるので、当該鉄筋１１を共通に支持するスパン方向に配設した複数の配筋用スペーサ２１（の略Ｖ字溝部２３）は、スパン方向に沿って見ると重なり合うように一致している。よって、精度が高い鉄筋１１の配筋作業を確実に行うことができる。
【００２８】
前記構成の鉄筋支持構造を施工した後は、前記鉄筋１１と前記配筋用スペーサ２１とを適宜鉄線等の結束材で結束し、コンクリートの上面からかぶり厚さ３０ｍｍ程度の部位に溶接金網、異径鉄筋等のひび割れ拡大防止筋を配設し、しかる後、コンクリートを打設してコンクリートスラブを構築する。
【実施例３】
【００２９】
なお、前記配筋用スペーサ２１の一端部２１ａの先端を、図７〜図９に示したように、前記鉤状段部２０ａの顎部へ掛け留め可能な引っ掛け部４に屈曲形成（延設）した配筋用スペーサ２１’で実施すると、当該配筋用スペーサ２１’の一端部を、より確実に、対応するデッキプレート２０の山部に掛け留めることができるので、配筋用スペーサ２１’の配設作業に対する確実性、信頼性を更に向上させることができる。
【００３０】
以上、実施例を図面に基づいて説明したが、本発明は図示例の限りではなく、その技術的思想を逸脱しない範囲において、当業者が通常に行う設計変更、応用のバリエーションの範囲を含むことを念のために言及する。
例えば、本発明に係る配筋用スペーサは上記実施例１〜３に係る配筋用スペーサ１、２１、２１’に限らず、図１０に例示した配筋用スペーサ３１、３１’のように、敷設するデッキプレート３０、３０’の形態に応じて自在に設計変更可能である。ちなみに、図１０に係る配筋用スペーサ３１、３１’は、上記実施例１〜３とは逆に、その一端部３１ａ、３１ａ’をデッキプレート３０の左方の山部に掛け留める手法で実施している。
【符号の説明】
【００３１】
１    配筋用スペーサ
１ａ  一端部
１ｂ  他端部
２    平坦部
３    略Ｖ字溝部
４    引っ掛け部
１０    デッキプレート
１１    鉄筋
２０    デッキプレート
２０ａ  鉤状段部
２１    配筋用スペーサ
２１’  配筋用スペーサ
２１ａ  一端部
２１ｂ  他端部
２２    平坦部
２３    略Ｖ字溝部
３０    デッキプレート
３０’  デッキプレート
３０ａ  鉤状段部
３１    配筋用スペーサ
３１’  配筋用スペーサ
３１ａ  一端部
３１ｂ  他端部
３１ａ’一端部
３１ｂ’他端部
３２    平坦部
３３    略Ｖ字溝部
【図１】
2019019552.tif 000003
【図２】
2019019552.tif 000004
【図３】
2019019552.tif 000005
【図４】
2019019552.tif 000006
【図５】
2019019552.tif 000007
【図６】
2019019552.tif 000008
【図７】
2019019552.tif 000009
【図８】
2019019552.tif 000010
【図９】
2019019552.tif 000011
【図１０】
2019019552.tif 000012
【図１１】
2019019552.tif 000013